(57)【要約】【課題】  レイアウト更新と透過度更新のタイミングを同期させることで表示の不具合を解消する再生装置及び再生方法、並びにフォーマットを提供する。【解決手段】  ストリームをデコードして映像信号を出力するデコーダ部（１３）と、透過度情報とレイアウト情報に応じて透過度更新信号とこれに同期したレイアウト更新信号を生成する生成部（１２−１）と、映像信号の透過度を透過度更新信号に応じて更新し、これに同期して、映像信号のレイアウト座標をレイアウト更新信号に応じて更新して出力する描画部（２１）をもつ再生装置。【選択図】図１
2009060254.tif 000002
【特許請求の範囲】
【請求項１】
ストリームをデコードして映像信号を出力するデコーダ部と、
スクリプトファイルに記述された透過度情報とレイアウト情報に応じて透過度更新信号とこれに同期したレイアウト更新信号を生成する生成部と、
前記映像信号の透過度を前記透過度更新信号に応じて更新し、これに同期して、前記映像信号のレイアウト座標を前記レイアウト更新信号に応じて更新して出力する描画部と、
を具備することを特徴とする再生装置。
【請求項２】
前記生成部は、前記透過度情報が有する識別情報と前記レイアウト情報が有する識別情報とが同一であることにより、二つの情報に基づく更新処理が同期して行われるものと判断することを特徴とする請求項１記載の再生装置。
【請求項３】
前記生成部は、前記透過度情報及び前記レイアウト情報は、同期すべきであることを示す動作モード情報を更に有していることを特徴とする請求項２記載の再生装置。
【請求項４】
前記生成部は、前記透過度情報が示す透過度更新のタイミングと前記レイアウト情報が示すレイアウト更新のタイミングが前記映像信号が再生される以前である場合、前記映像信号の再生前は前記透過度更新及び前記レイアウト更新が行われず、前記映像信号の再生開始以降に前記透過度更新及び前記レイアウト更新が行われることを特徴とする請求項１記載の再生装置。
【請求項５】
前記生成部は、前記ストリーム内の前記透過度情報が示す透過度更新のタイミングと前記レイアウト情報が示すレイアウト更新のタイミングを、一定期間毎に検出しており、同一の期間内に含まれる透過度更新とレイアウト更新を同期して実行するための透過度更新信号とレイアウト更新を生成することを特徴とする請求項１記載の再生装置。
【請求項６】
前記描画部は、前記デコーダ部からのサブビデオに関して、透過度を前記透過度更新信号に応じて更新し、これに同期して前記映像信号のレイアウト座標を前記レイアウト更新信号に応じて更新して出力することを特徴とする請求項１記載の再生装置。
【請求項７】
前記透過度情報と前記レイアウト情報の同期情報は、ＨＤ ＤＶＤ−Ｖｉｄｅｏ規格で定義されているスクリプトに記述された透過度設定情報とチェンジレイアウト情報であることを特徴とする請求項１記載の再生装置。
【請求項８】
ストリームをデコードして映像信号を出力し、
透過度情報とレイアウト情報に応じて透過度更新信号とこれに同期したレイアウト更新信号を生成し、
前記映像信号の透過度を前記透過度更新信号に応じて更新し、これに同期して、前記映像信号のレイアウト座標を前記レイアウト更新信号に応じて更新することを特徴とする再生方法。
【請求項９】
前記透過度情報が有する識別情報と前記レイアウト情報が有する識別情報とが同一であることにより、二つの情報に基づく更新処理が同期して行われるものと判断することを特徴とする請求項８記載の再生方法。
【請求項１０】
ＨＤ ＤＶＤ−Ｖｉｄｅｏ規格のフォーマットにおいて、
透過度の程度を示す情報と、同期可否を示すモード情報と、同期識別情報を含む、スクリプトに記載された透過度情報と、
レイアウト先の座標を示す情報と、同期可否を示すモード情報と、同期識別情報を含む、スクリプトに記載されたレイアウト情報を有することを特徴とするフォーマット。
【発明の詳細な説明】
【技術分野】
【０００１】
この発明は、ストリーム内の透過度及びレイアウトの更新を同期して行う再生装置及び再生方法、並びにフォーマットに関する。
【背景技術】
【０００２】
周知のように、ＨＤ ＤＶＤ−Ｖｉｄｅｏ規格では、従来のＤＶＤ−Ｖｉｄｅｏ規格とは異なり、メインビデオの他にコメンタリ映像などの特典映像をサブビデオとして、メインビデオと同時に表示することが可能となった。サブビデオの表示位置は、コンテンツ製作者がＨＤ ＤＶＤ−Ｖｉｄｅｏ規格で定義されているチェンジレイアウト機能をスクリプトに記述することにより、任意の位置に表示位置を定義することが可能である。また、コンテンツ製作者は、サブビデオプレーンの透過度もスクリプトに記述することにより、任意の透過度に設定することも可能である。現在、発売されているアドバンスドコンテンツにおいても、コンテンツ製作者がチェンジレイアウト機能と、透過度設定を用いて、サブビデオプレーンのアニメーションが行われている。
【０００３】
特許文献１は、情報再生装置で、アドバンスドコンテンツを再生する再生部を備え、メインビデオ上にサブビデオを表示でき、サブビデオの位置やサイズ、透過度を設定できるので、スケーリングとアルファ処理が一例で行われている。
【特許文献１】特開２００７−４８３４８号公報
【発明の開示】
【発明が解決しようとする課題】
【０００４】
しかし、特許文献１の従来技術では、チェンジレイアウト設定と、透過度の設定は、それぞれ非同期のタイミングで設定できるため、コンテンツ製作者が意図したとおりに更新が行われない場合がある。また、タイミングの同期をとる仕組みが確立されていないため、再生させるプレーヤにより、動作が異なるケースも発生している。
【０００５】
本発明は、レイアウト更新と透過度更新のタイミングを同期させることで表示の不具合を解消する再生装置及び再生方法、並びにフォーマットを提供することを目的とする。
【課題を解決するための手段】
【０００６】
課題を解決するための一実施形態は、
ストリームをデコードして映像信号を出力するデコーダ部（１３）と、
前記透過度情報と前記レイアウト情報に応じて透過度更新信号とこれに同期したレイアウト更新信号を生成する生成部（１２−１）と、
前記映像信号の透過度を前記透過度更新信号に応じて更新し、これに同期して、前記映像信号のレイアウト座標を前記レイアウト更新信号に応じて更新して出力する描画部（２１）と、を具備することを特徴とする再生装置である。
【発明の効果】
【０００７】
レイアウトの更新と透過度の更新が同期して行われるため、意図しない表示が現れる等の画面上の不具合が解消される。
【発明を実施するための最良の形態】
【０００８】
以下、この発明の実施の形態について図面を参照して詳細に説明する。
【０００９】
＜本発明の一実施形態である再生装置の構成の一例＞
以下、本発明の一実施形態である再生装置の構成の一例を図面を用いて詳細に説明する。図１は、本発明の一実施形態に係る再生装置の構成の一例を示すブロック図である。
【００１０】
本発明の一実施形態に係る再生装置１０は、光ディスクドライバ１１と、外部からストリームを取得するＩ／Ｆ部２３と、アドバンスドアプリケーションプレゼンテーションエンジン１２及び更新信号生成部１２−１と、ストリームデコーダ１３と、メインビデオデコーダ１４と、サブビデオデコーダ１５と、サブビデオデコーダ１６と、アドバンスドデータデコーダ１７と、主音声デコーダ１８と、副音声デコーダ１９と、アルファ制御部２０と、映像レンダラ２１と、音声ミキサ２２を有している。
【００１１】
アドバンスドアプリケーションプレゼンテーションエンジン１２は、ストリームデコーダ１３から送られるアドバンスドコンテンツ中に含まれるスクリプトを解釈し、アルファ制御部２０へ透過度の設定や、映像レンダラ２１へチェンジレイアウト機能によって与えられるレイアウト情報の設定や、再生モード（通常再生、停止など）をメインビデオデコーダ１４と、サブビデオデコーダ１５と、サブビデオデコーダ１６と、アドバンスドデータデコーダ１７と、メインビデオデコーダ１４と、サブビデオデコーダ１５へ通知するである。
【００１２】
アルファ制御部２０は、アドバンスドアプリケーションプレゼンテーションエンジン１２から設定されるプレーンの透過度を保持し、映像レンダラ２１へ設定する。
【００１３】
ストリームデコーダ１３は、ストリームデータをメインビデオデータで構成されるメインビデオパック、サブビデオデータで構成されるサブビデオパック、サブビデオデータで構成されるサブビデオパック、アドバンスドデータで構成されるアドバンスドパック、メインオーディオパックで構成されるオーディオパック、サブオーディオデータで構成されるサブオーディオパックの６つに切り分け、それぞれのデータをメインビデオデコーダ１４、サブビデオデコーダ１５、サブビデオデコーダ１６、アドバンスドデータデコーダ１７、メインビデオデコーダ１４、サブビデオデコーダ１５の各デコーダへ転送する。
【００１４】
また、データソース(光ディスクなど)に含まれるコンテンツ製作者が作成したスクリプト記述は、アドバンスドアプリケーションプレゼンテーションエンジン１２へ送られ解釈される。
【００１５】
メインビデオデコーダ１４は、ストリームデコーダ１３から転送されたメインビデオデータをデコードし、映像レンダラ２１へデコードデータを転送する。
【００１６】
サブビデオデコーダ１５は、ストリームデコーダ１３から転送されたサブビデオデータをデコードし、映像レンダラ２１へデコードデータを転送する。
【００１７】
サブビデオデコーダ１６は、ストリームデコーダ１３から転送されたサブビデオデータをデコードし、映像レンダラ２１へデコードデータを転送する。
【００１８】
アドバンスドデータデコーダ１７は、ストリームデコーダ１３から転送されたアドバンスドデータをデコードし、グラフィックデータであれば、映像レンダラ２１へ、音声データであれば音声ミキサ２２へデコードデータを転送する。
【００１９】
主音声デコーダ１８は、ストリームデコーダ１３から転送されたメインオーディオデータをデコードし、音声ミキサ２２へデコードデータを転送する。
【００２０】
副音声デコーダ１９は、ストリームデコーダ１３から転送されたサブオーディオデータをデコードし、音声ミキサ２２へデコードデータを転送する。
【００２１】
映像レンダラ２１は、メインビデオデコーダ１４、サブビデオデコーダ１５、サブビデオデコーダ１６、アドバンスドデータデコーダ１７から出力されたデータの多重化を行う。
【００２２】
映像レンダラ２１は、デコーダから出力されたデータを各プレーンに割り付け、管理を行う。アドバンスドアプリケーションプレゼンテーションエンジン１２からチェンジレイアウト機能によって与えられるメインビデオプレーン、サブビデオプレーンに対するレイアウト情報の対応も行う。
【００２３】
音声ミキサ２２は、アドバンスドデータデコーダ１７、メインビデオデコーダ１４、サブビデオデコーダ１５から出力されたデータの多重化を行う。
【００２４】
＜再生装置による透過度及びレイアウトの更新処理＞
次に、上述した構成による再生装置１０は、以下のような透過度及びレイアウトの更新処理を示す。すなわち、図２は、同じく再生装置が回避しようとする同期のとれていない表示画面の一例を示す説明図である。コンテンツ製作者は、出画開始時、サブビデオを左上の位置に非透過状態で再生を開始させるべくスクリプトを記述しているものとする。
【００２５】
図２において、再生装置１０は、透過処理が出画前になされてしまい、出画後にレイアウト変更がなされることにより、意図しない表示となっている。図３は、同じく再生装置の働きにより同期の取れた表示画面の一例を示す説明図である。後述する手法で、透過度更新及びレイアウト変更が同期して行われることにより、期待される動作が行われる。
【００２６】
同様に、図４は、同じく再生装置が回避しようとする同期のとれていない表示画面の一例を示す説明図である。
【００２７】
コンテンツ製作者は、サブビデオを右上の位置に非透過で表示している状態(初期状態)から、サブビデオを一度透過させた後、サブビデオを左上の位置に非透過状態で再生を開始させるべくスクリプトを記述しているものとする。図４において、再生装置１０は、非透過処理がレイアウト変更前になされてしまい、意図しない表示がされてしまう。図５は、同じく再生装置の働きにより同期の取れた表示画面の一例を示す説明図である。後述する手法で、透過度更新及びレイアウト変更が同期して行われることにより、期待される動作が行われる。
【００２８】
なお、図２乃至図５において、サブビデオプレーンの破線部分は、サブビデオが画面表示されていないことを示している。
【００２９】
＜本発明の一実施形態である再生装置での同期した透過度及びレイアウトの更新処理＞
次に、本発明の一実施形態である再生装置での同期した透過度及びレイアウトの更新処理を図面を用いて説明する。
【００３０】
図６は、同じく再生装置の同期情報により同期の取れた透過度及びレイアウトの更新処理の一例を示すフローチャートである。図７は、同じく再生装置の同期と非同期が混在する透過度及びレイアウトの更新処理の一例を示すフローチャートである。図８は、同じく再生装置の設定期間により同期の取れた透過度及びレイアウトの更新処理の一例を示すタイミングチャートである。図９は、同じく再生装置の同期情報により同期の取れた透過度及びレイアウトの更新処理の一例を示すタイミングチャートである。
【００３１】
なお、以下の図６、図７、図１０、図１２のフローチャートの各ステップは、回路ブロックに置き換えることができ、従って、各フローチャートのステップは、全てブロックに定義しなおすことが可能である。
【００３２】
（同期情報を用いる手法）
以下に、透過度情報及びチェンジレイアウト情報の一例を示す。
【００３３】
透過度情報は、透過度と、同期モードと、グループ情報で構成される。
【００３４】
『透過度』は、透過の程度を示しており、『同期モード』は、同期か非同期かを示しており、『グループ情報』は、グループ１、グループ２等の同期すべきグループ分けが定義される。
【００３５】
チェンジレイアウト情報は、
Ｘ座標と、Ｙ座標と、スケーリング値(n/d)と、切り取りＸ座標と、切り取りＹ座標と、切り取り幅と、切り取り高さと、移動継続時間と、同期モードと、グループ情報とで構成される。
【００３６】
『Ｘ座標』でレイアウト変更後のＸ座標を示しており、
『Ｙ座標』でレイアウト変更後のＹ座標を示しており、
『スケーリング値』で拡大もしくは縮小の倍率を示しており、
『切り取りＸ座標』で切り取りが開始されるＸ座標を示しており、
『切り取りＹ座標』で切り取りが開始されるＹ座標を示しており、
『切り取り幅』で切り取りの幅を示しており、
『切り取り高さ』で切り取りの高さを示しており、
『移動継続時間』でレイアウト変更を行うフレーム数(何フレームかけて移動するかを表現)を示しており、
『同期モード』で同期か非同期かを示しており、
『グループ情報』でグループ１、グループ２等の同期すべきグループ分けが定義される。
【００３７】
この実施形態において、コンテンツ製作者は、出画開始時、サブビデオを左上の位置に非透過状態で再生を開始させるべくスクリプトを記述しているものとする。ユーザからの再生開始要求(プリロール)が行われる。ここで、プリロールとは、再生開始するための準備期間のことである。ストリームの供給が行われ、全てのデコーダが出画、出音が可能となった時点でプリロール終了となり、再生が開始される。プリロールの期間は、ストリームの供給スピードや、デコーダの能力などにより異なるため、同じストリームであってもプレーヤ毎にプリロールの期間は異なる。
【００３８】
次に、図６のフローチャートを用いて同期情報を用いて更新処理を説明すると、コンテンツ製作者は、出画開始時、サブビデオを左上の位置に非透過状態で再生を開始させるべくスクリプトを記述しているものとする。この実施形態では、コンテンツ製作者はスクリプト記述において、レイアウト変更時には、レイアウト変更情報だけでなく、透過度設定との同期の有無と、同期を行う透過度設定を識別するための情報(グループＩＤ等)とを記述する。透過度設定時においても、透過度情報だけでなく、レイアウト設定との同期の有無と、同期を行うレイアウト設定を識別するための情報(グループＩＤ等)とを記述する。
【００３９】
再生装置１０のアドバンスドアプリケーションプレゼンテーションエンジン１２は、初めに、サブビデオに対して、初期レイアウト及び透過度設定を行う（ステップＳ２１）。サブビデオの初期レイアウトは、右上の位置に１倍の表示で行われる。透過度の初期設定は、透過の状態である。
【００４０】
次に、アドバンスドアプリケーションプレゼンテーションエンジン１２は、ユーザからの再生開始要求(プリロール)に従って、再生開始するための準備処理を行う（ステップＳ２２）。アドバンスドアプリケーションプレゼンテーションエンジン１２により、プリロール中にスクリプトからの［同期有］、［グループ１］の左上の位置へのレイアウト変更設定が行われる（ステップＳ２３）。プリロール中のレイアウト変更は、出画されるまで延期される。
【００４１】
スクリプトには、［同期有］で［グループ１］と記述されているので、プレーヤは、同期を行うべきレイアウト設定があることがわかる。スクリプトから非透過度の設定が行われる（ステップＳ２４）。スクリプトには、［同期有］で［グループ１］と記述されている。
【００４２】
そして、アドバンスドアプリケーションプレゼンテーションエンジン１２は、プリロール終了を待ち（ステップＳ２５）、再生が開始されるまで、レイアウト更新が延期されるので、透過度設定の更新も延期される。再生が開始されると、アドバンスドアプリケーションプレゼンテーションエンジン１２は、非透過設定をグループ１のタイミングで更新するべく、透過度の更新信号を生成してアルファ制御部２０に供給することで透過度を更新する（ステップＳ２６）。更に、アドバンスドアプリケーションプレゼンテーションエンジン１２は、先の非透過設定に同期して、グループ１のタイミングで、左上の位置へのレイアウト変更を行なうべく、レイアウトの更新信号を生成して映像レンダラ２１に供給することでレイアウトを更新する（ステップＳ２７）。
【００４３】
このようにコンテンツ製作者がスクリプトに同期を行いたい変更に対し、同期を行うかどうかの情報と、同期する情報を識別する情報（グループ１等）を付加することにより、図３や図５に示すように、コンテンツ製作者が意図する再生が可能となる。
【００４４】
又、このような同期した更新処理の動作タイミングが、図８のタイミングチャートに示されている。又、同期する情報を識別する情報（グループ１，グループ２等）が複数ある場合のタイミングについて、図９のタイミングチャートに示されている。
【００４５】
次に、このような同期した更新処理に非同期の処理が加わった場合について、図７のフローチャートを用いて説明する。
【００４６】
アドバンスドアプリケーションプレゼンテーションエンジン１２は、［同期有］で［グループ１］と記述されているスクリプトに基づき、ストリームの透過の要求を検出する（ステップＳ４１）。同じく、［同期有］で［グループ１］と記述されているスクリプトに基づき、レイアウト変更の要求を検出する（ステップＳ４２）。更に、アドバンスドアプリケーションプレゼンテーションエンジン１２は、スクリプトからの、非同期の非透過要求を検出する（ステップＳ４３）。
【００４７】
次に、アドバンスドアプリケーションプレゼンテーションエンジン１２の更新信号生成部１２−１は、グループ１のタイミングでレイアウトと透過度の更新信号を生成してアルファ制御部２０及び映像レンダラ２１に供給することで、レイアウトと透過度を更新する（ステップＳ４４）。その後、アドバンスドアプリケーションプレゼンテーションエンジン１２は、非同期で非透過の設定を更新するべく更新信号を生成して映像レンダラ２１に供給することで透過度を更新する（ステップＳ４５）。ステップＳ４４とステップＳ４５の更新タイミングは、非同期のため、逆になることもあるが、必要な同期した更新が行なわれることで、図４のようなコンテンツ製作者が意図しない表示が行われることはない。
【００４８】
以上、説明したように、スクリプトに記述された［同期有］，［グループ１等］を含む同期情報を用いて透過度変更、レイアウト変更を行なうことで、コンテンツ製作者が意図した表示を実現することができる。
【００４９】
（再生開始時に同期させる手法）
次に、再生開始時に同期させる手法により、レイアウト更新と透過度更新を同期させる実施形態について、以下に図面を用いて説明する。図１０は、同じく再生装置の再生開始後に行なわれる透過度及びレイアウトの更新処理の一例を示すフローチャートである。図１１は、同じく再生装置の再生開始後に行なわれる透過度及びレイアウトの更新処理の一例を示すタイミングチャートである。
【００５０】
すなわち、アドバンスドアプリケーションプレゼンテーションエンジン１２は、プリロール期間の透過度及びレイアウトの更新処理においては、出画されるまでこれを延期する。この実施形態によっても、コンテンツ製作者は、出画開始時、サブビデオを左上の位置に非透過状態で再生を開始させるべくスクリプトを記述しているものとする。
【００５１】
アドバンスドアプリケーションプレゼンテーションエンジン１２は、ストリームを受けると、サブビデオに対し、初期レイアウト及び透過度設定を行なう（ステップＳ５５）。サブビデオの初期レイアウトは、右上の位置に１倍の表示で行われる。透過度の初期設定は、透過の状態である。
【００５２】
次に、アドバンスドアプリケーションプレゼンテーションエンジン１２は、ユーザからの再生開始要求(プリロール)を受ける（ステップＳ５６）。アドバンスドアプリケーションプレゼンテーションエンジン１２は、プリロール中にストリーム中のスクリプトにより左上の位置へのレイアウト変更要求を受ける（ステップＳ５７）。同じく、アドバンスドアプリケーションプレゼンテーションエンジン１２は、透過度変更要求を受ける（ステップＳ５８）。
【００５３】
ここで、アドバンスドアプリケーションプレゼンテーションエンジン１２は、直ちに透過度及びレイアウトの更新処理を行なわず、プリロール中の更新処理は、出画されるまで延期する（ステップＳ５９）。
【００５４】
次に、再生が開始されると、アドバンスドアプリケーションプレゼンテーションエンジン１２は、非透過設定を更新するべく、透過度の更新信号を生成してアルファ制御部２０に供給することで透過度を更新する（ステップＳ６０）。同様に、アドバンスドアプリケーションプレゼンテーションエンジン１２は、再生の開始と共に、左上の位置へのレイアウト変更を更新するべく、レイアウトの更新信号を生成して映像レンダラ２１に供給することで、レイアウトと透過度を更新する（ステップＳ６１）。図１１のタイミングチャートは、このような更新処理のタイミングを示している。
【００５５】
上述したように、この実施形態では、プリロール後、ストリームの再生開始時又は開始後に透過度変更とレイアウト変更を行なうことで同期をとることが可能となる。
【００５６】
（一定期間毎に分類して同期させる手法）
次に、一定期間毎に更新要求を分類して同期させる手法を説明する。図１２は、同じく再生装置の設定期間により同期の取れた透過度及びレイアウトの更新処理の一例を示すフローチャートである。図１３は、同じく再生装置の複数種類の同期情報により同期の取れた透過度及びレイアウトの更新処理の一例を示すタイミングチャートである。
【００５７】
すなわち、アドバンスドアプリケーションプレゼンテーションエンジン１２は、上述したスクリプトの同期情報を用いることなく、図１３のタイミングチャートのリアルタイムの設定期間Ｔ０、Ｔ１、Ｔ２…毎に更新要求を分類して、その期間毎に同期処理を行なう。
【００５８】
アドバンスドアプリケーションプレゼンテーションエンジン１２は、図１２のフローチャートにおいて、スクリプトから透過度の変更要求を検出する（ステップＳ７１）。同様に、アドバンスドアプリケーションプレゼンテーションエンジン１２は、スクリプトからレイアウトの変更要求を検出する（ステップＳ７２）。ここで、設定期間（Ｔ０、Ｔ１、Ｔ２…）が終了すると（ステップＳ７３）、その期間の変更要求について、透過度とレイアウトの更新処理を同期して行なうべく、アドバンスドアプリケーションプレゼンテーションエンジン１２は、レイアウトと透過度の更新信号を生成してアルファ制御部２０及び映像レンダラ２１に供給する（ステップＳ７４）。アドバンスドアプリケーションプレゼンテーションエンジン１２は、このような設定期間（Ｔ０、Ｔ１、Ｔ２…）毎の同期更新処理を再生処理が終了するまで継続して行なうものである（ステップＳ７５）。
【００５９】
このような方法によっても、同期情報を用いなくとも、透過度及びレイアウトの更新処理を同期を取って行なうことが可能となる。こうすることにより、コンテンツ製作者の意図とおりにアドバンスドコンテンツを再生することができるようになる。
【００６０】
＜フォーマット＞
次に、上述したストリーム内の透過度情報及びレイアウト情報を含むフォーマットの一例を以下に説明する。図１４は、同期情報を伴う透過度設定情報及びレイアウト設定情報を有する光ディスクのフォーマットの一例を示す説明図である。
【００６１】
すなわち、光ディスク等に格納されたＨＤ ＤＶＤ−Ｖｉｄｅｏ規格のフォーマット、又は、ストリームの形態をとったフォーマットは、図１４に示すように、ビデオオーディオの再生情報とアドバンスドアプリケーションを有している。
【００６２】
ここで、ビデオオーディオの再生情報である制御情報であるＶＴＳＩ（Video Title Set Information）と、ＥＶＯＢＳと、ＴＩＭＥ  ＭＡＰ  ＩＮＦＯＲＭＡＴＩＯＮと、ＢａｃｋｕｐｆｏｒＶＴＳＩと、ＢａｃｋｕｐｆｏｒＴＩＭＥ  ＭＡＰ  ＩＮＦＯＲＭＡＴＩＯＮを有している。
【００６３】
一方、アドバンスドアプリケーションは、スクリプトファイルを有しており、このスクリプトファイルは、『透過度の程度を示す情報と、同期可否を示すモード情報と、グループ１等の識別情報を含むスクリプトに記載された透過度情報』を有しており、更に、『レイアウト先の座標を示す情報と、同期可否を示すモード情報と、グループ１等の識別情報を含むスクリプトに記載されたレイアウト情報』を含んでいる。
【００６４】
なお、ここで挙げたスクリプトに記載された透過度情報とスクリプトに記載されたレイアウト情報は一例であり、この記載に限定されるものではなく、同期情報と更新情報を含む形であれば同等の作用効果を期待することが可能となる。
【００６５】
以上記載した様々な実施形態により、当業者は本発明を実現することができるが、更にこれらの実施形態の様々な変形例を思いつくことが当業者によって容易であり、発明的な能力をもたなくとも様々な実施形態へと適用することが可能である。従って、本発明は、開示された原理と新規な特徴に矛盾しない広範な範囲に及ぶものであり、上述した実施形態に限定されるものではない。
【図面の簡単な説明】
【００６６】
【図１】本発明の一実施形態に係る再生装置の構成の一例を示すブロック図。
【図２】同じく再生装置が回避しようとする同期のとれていない表示画面の一例を示す説明図。
【図３】同じく再生装置の働きにより同期の取れた表示画面の一例を示す説明図。
【図４】同じく再生装置が回避しようとする同期のとれていない表示画面の一例を示す説明図。
【図５】同じく再生装置の働きにより同期の取れた表示画面の一例を示す説明図。
【図６】同じく再生装置の同期情報により同期の取れた透過度及びレイアウトの更新処理の一例を示すフローチャート。
【図７】同じく再生装置の同期と非同期が混在する透過度及びレイアウトの更新処理の一例を示すフローチャート。
【図８】同じく再生装置の設定期間により同期の取れた透過度及びレイアウトの更新処理の一例を示すタイミングチャート。
【図９】同じく再生装置の同期情報により同期の取れた透過度及びレイアウトの更新処理の一例を示すタイミングチャート。
【図１０】同じく再生装置の再生開始後に行なわれる透過度及びレイアウトの更新処理の一例を示すフローチャート。
【図１１】同じく再生装置の再生開始後に行なわれる透過度及びレイアウトの更新処理の一例を示すタイミングチャート。
【図１２】同じく再生装置の設定期間により同期の取れた透過度及びレイアウトの更新処理の一例を示すフローチャート。
【図１３】同じく再生装置の複数種類の同期情報により同期の取れた透過度及びレイアウトの更新処理の一例を示すタイミングチャート。
【図１４】同期情報を伴う透過度設定情報及びレイアウト設定情報を有する光ディスクのフォーマットの一例を示す説明図。
【符号の説明】
【００６７】
Ｄ…光ディスク、１２…アドバンスドアプリケーションプレゼンテーションエンジン、１２−１…更新信号生成部、１３…ストリームデコーダ、２０…アルファ制御部。
【図１】
2009060254.tif 000003
【図２】
2009060254.tif 000004
【図３】
2009060254.tif 000005
【図４】
2009060254.tif 000006
【図５】
2009060254.tif 000007
【図６】
2009060254.tif 000008
【図７】
2009060254.tif 000009
【図８】
2009060254.tif 000010
【図９】
2009060254.tif 000011
【図１０】
2009060254.tif 000012
【図１１】
2009060254.tif 000013
【図１２】
2009060254.tif 000014
【図１３】
2009060254.tif 000015
【図１４】
2009060254.tif 000016